(57)【要約】【課題】  より簡単な操作で、表示画面に表示された画像に関係付けられた情報を得ることができるようにする。【解決手段】  キャプチャ部２１２は、表示画面に表示されている画像の画像データをキャプチャする。抽出部２１３は、キャプチャされた画像データの画像であるキャプチャ画像に関係付けられたURLを示す情報である抽出URL情報を、キャプチャ画像に対応する放送信号から抽出する。通信制御部２１４は、抽出URL情報により示されるURLによって特定されるサーバにアクセスして、キャプチャ画像の内容に関する情報が掲載されたウェブページにアクセスするための他のURLを示す情報を取得する。生成部２１５は、取得された他のURLを示す情報を基に、ブックマークのデータを生成する。本発明は、テレビ番組を表示させるテレビジョン受像機などに適用することができる。【選択図】      図５
2007074495.tif 000002
【特許請求の範囲】
【請求項１】
映像信号を基に表示される画像であって、表示手段に表示された画像に関係付けられたネットワーク上のアドレスを示す情報を、前記映像信号から抽出する抽出手段と、
抽出された前記アドレスを示す情報に基づいて、前記アドレスを示す情報、または前記表示手段に表示された前記画像に関係付けられた、前記ネットワーク上の他のアドレスを示す情報が含まれるブックマークデータを生成する生成手段と
を備える情報処理装置。
【請求項２】
前記アドレスまたは前記他のアドレスはURL（Uniform Resource Locator）方式で記述されている
請求項１に記載の情報処理装置。
【請求項３】
前記ネットワーク上の所定の装置から、前記アドレスにより特定される、前記表示手段に表示された前記画像の内容を想起させる他の画像を表示させるための画像データ、前記アドレスにより特定される前記他のアドレスを示す情報、または前記アドレスにより特定される、前記表示手段に表示された前記画像の内容を表すタイトルを示す情報を取得する取得手段をさらに備え、
前記生成手段は、前記取得手段により取得された、前記他の画像を表示させるための画像データ、前記他のアドレスを示す情報、または前記タイトルを示す情報を基に、前記ブックマークデータを生成する
請求項１に記載の情報処理装置。
【請求項４】
前記ブックマークデータを基に、前記表示手段に表示された前記画像の内容を想起させる前記他の画像、前記他のアドレス、または前記画像の内容を表すタイトルを含む情報を表示させる表示制御手段をさらに備える
請求項３に記載の情報処理装置。
【請求項５】
前記他のアドレスにアクセスさせて、前記表示手段に表示された前記画像の内容に関する情報が掲載されているウェブページを表示させる表示制御手段をさらに備える
請求項１に記載の情報処理装置。
【請求項６】
映像信号を基に表示される画像であって、表示手段に表示された画像に関係付けられたネットワーク上のアドレスを示す情報を、前記映像信号から抽出し、
抽出された前記アドレスを示す情報に基づいて、前記アドレスを示す情報、または前記表示手段に表示された前記画像に関係付けられた、前記ネットワーク上の他のアドレスを示す情報が含まれるブックマークデータを生成する
ステップを含む情報処理方法。
【請求項７】
映像信号を基に表示される画像であって、表示手段に表示された画像に関係付けられたネットワーク上のアドレスを示す情報を、前記映像信号から抽出する抽出ステップと、
抽出された前記アドレスを示す情報に基づいて、前記アドレスを示す情報、または前記表示手段に表示された前記画像に関係付けられた、前記ネットワーク上の他のアドレスを示す情報が含まれるブックマークデータを生成する生成ステップと
をコンピュータに実行させるプログラム。
【発明の詳細な説明】
【技術分野】
【０００１】
本発明は情報処理装置および方法、並びにプログラムに関し、特に、より簡単な操作で、表示画面に表示された画像に関係付けられた情報を得ることができるようにした情報処理装置および方法、並びにプログラムに関する。
【背景技術】
【０００２】
今日、インターネットの普及により、インターネットに接続してウェブページを閲覧することで、様々な情報を得ることができるようになってきている。また、これにともない、パーソナルコンピュータや携帯電話機においてウェブページを閲覧するためのソフトウェア（プログラム）（以下、ウェブブラウザと称する）も普及してきている。
【０００３】
例えば、ユーザがテレビ番組（以下、単に番組とも称する）を視聴して、自分の気に入った商品を見つけた場合、ユーザは、インターネットに接続されているパーソナルコンピュータを操作し、ウェブブラウザを利用して、その商品のより詳細な情報を得ることができる。この場合、ユーザは、商品名などから所望する商品に関する情報が含まれるウェブページを検索し、検索の結果得られたウェブページを表示させて閲覧することで、その商品のより詳細な情報を得ることができる。
【０００４】
近年では、このようなウェブブラウザを起動させることにより実現されるブラウザ機能は、テレビジョン受像機などのコンシューマエレクトロニクス機器にも搭載され、コンシューマエレクトロニクス機器をインターネットに接続することによって、パーソナルコンピュータにおける場合と同様に、インターネットを介してウェブページにアクセスすることができ、ユーザは所望する情報を得ることができる。
【０００５】
したがって、ユーザは、例えば、コンシューマエレクトロニクス機器に搭載されているウェブブラウザ機能を利用してウェブページを検索することにより、例えば、番組を再生することにより表示される画像（番組の画像）など、コンシューマエレクトロニクス機器の表示画面に表示されている画像に関係付けられた情報を得ることができる。
【０００６】
例えば、ユーザがテレビジョン受像機において再生されている番組を視聴している場合、ユーザが視聴している番組やコマーシャルにおいて、ユーザにとって興味のある情報が紹介されたときに、ユーザは、テレビジョン受像機を遠隔操作するためのリモートコマンダを用いて、その情報を検索するためのキーワードを入力して検索させ、検索の結果として得られたウェブページをテレビジョン受像機に表示させることができる。これにより、ユーザは、テレビジョン受像機に表示されたウェブページを閲覧して、所望する情報を得ることができる。
【０００７】
また、従来のテレビジョン受像機には、音響URL（Uniform Resource Locator）送信装置から送信されてきた音響信号を受信し、音響信号からURLを抽出することによって、ユーザの所望する情報が含まれているウェブページのURLを得ることができるものもある（例えば、特許文献１参照）。このテレビジョン受像機が受信する音響信号には、音響URL送信装置においてキーボードにより入力されたURLを示す情報が重畳されており、テレビジョン受像機は、抽出したURLにアクセスすることによって、そのURLにより特定されるウェブページを表示させることができる。
【０００８】
【特許文献１】特開平１１−１１０３１９号公報
【発明の開示】
【発明が解決しようとする課題】
【０００９】
しかしながら、上述した技術では、テレビジョン受像機をインターネットに接続してウェブページの検索を行う場合、検索のためのキーワードの入力や、検索を行わせるための操作は、リモートコマンダを用いて行われていたため、ユーザはいちいちリモートコマンダのボタンを押圧して、文字の入力などを行わなければならず、その操作は非常に煩雑であった。
【００１０】
本発明は、このような状況に鑑みてなされたものであり、より簡単な操作で、表示画面に表示された画像に関係付けられた情報を得ることができるようにするものである。
【課題を解決するための手段】
【００１１】
本発明の一側面の情報処理装置には、映像信号を基に表示される画像であって、表示手段に表示された画像に関係付けられたネットワーク上のアドレスを示す情報を、前記映像信号から抽出する抽出手段と、抽出された前記アドレスを示す情報に基づいて、前記アドレスを示す情報、または前記表示手段に表示された前記画像に関係付けられた、前記ネットワーク上の他のアドレスを示す情報が含まれるブックマークデータを生成する生成手段とが設けられている。
【００１２】
情報処理装置には、前記ネットワーク上の所定の装置から、前記アドレスにより特定される、前記表示手段に表示された前記画像の内容を想起させる他の画像を表示させるための画像データ、前記アドレスにより特定される前記他のアドレスを示す情報、または前記アドレスにより特定される、前記表示手段に表示された前記画像の内容を表すタイトルを示す情報を取得する取得手段をさらに設け、前記生成手段には、前記取得手段により取得された、前記他の画像を表示させるための画像データ、前記他のアドレスを示す情報、または前記タイトルを示す情報を基に、前記ブックマークデータを生成させるようにすることができる。
【００１３】
情報処理装置には、前記ブックマークデータを基に、前記表示手段に表示された前記画像の内容を想起させる前記他の画像、前記他のアドレス、または前記画像の内容を表すタイトルを含む情報を表示させる表示制御手段をさらに設けることができる。
【００１４】
情報処理装置には、前記他のアドレスにアクセスさせて、前記表示手段に表示された前記画像の内容に関する情報が掲載されているウェブページを表示させる表示制御手段をさらに設けることができる。
【００１５】
本発明の一側面の情報処理方法またはプログラムは、映像信号を基に表示される画像であって、表示手段に表示された画像に関係付けられたネットワーク上のアドレスを示す情報を、前記映像信号から抽出し、抽出された前記アドレスを示す情報に基づいて、前記アドレスを示す情報、または前記表示手段に表示された前記画像に関係付けられた、前記ネットワーク上の他のアドレスを示す情報が含まれるブックマークデータを生成するステップを含む。
【００１６】
本発明の一側面においては、映像信号を基に表示される画像であって、表示手段に表示された画像に関係付けられたネットワーク上のアドレスを示す情報が、前記映像信号から抽出され、抽出された前記アドレスを示す情報に基づいて、前記アドレスを示す情報、または前記表示手段に表示された前記画像に関係付けられた、前記ネットワーク上の他のアドレスを示す情報が含まれるブックマークデータが生成される。
【００１７】
ネットワークとは、少なくとも２つの装置が接続され、ある装置から、他の装置に対して、情報の伝達をできるようにした仕組みをいう。ネットワークを介して通信する装置は、独立した装置どうしであっても良いし、１つの装置を構成している内部ブロックどうしであっても良い。
【００１８】
また、通信とは、無線通信および有線通信は勿論、無線通信と有線通信とが混在した通信、即ち、ある区間では無線通信が行われ、他の区間では有線通信が行われるようなものであっても良い。さらに、ある装置から他の装置への通信が有線通信で行われ、他の装置からある装置への通信が無線通信で行われるようなものであっても良い。
【発明の効果】
【００１９】
以上のように、本発明の一側面によれば、表示画面に表示された画像に関係付けられた情報を得ることができる。特に、本発明の一側面によれば、より簡単な操作で、表示画面に表示された画像に関係付けられた情報を得ることができる。
【発明を実施するための最良の形態】
【００２０】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２１】
本発明の一側面の情報処理装置は、映像信号を基に表示される画像であって、表示手段（例えば、図４の表示部２１）に表示された画像に関係付けられたネットワーク（例えば、図４の通信網１４）上のアドレスを示す情報を、前記映像信号から抽出する抽出手段（例えば、図５の抽出部２１３）と、抽出された前記アドレスを示す情報に基づいて、前記アドレスを示す情報、または前記表示手段に表示された前記画像に関係付けられた、前記ネットワーク上の他のアドレスを示す情報が含まれるブックマークデータを生成する生成手段（例えば、図５の生成部２１５）とを備える。
【００２２】
この情報処理装置には、前記ネットワーク上の所定の装置（例えば、図１のサーバ１２）から、前記アドレスにより特定される、前記表示手段（例えば、図４の表示部２１）に表示された前記画像の内容を想起させる他の画像を表示させるための画像データ、前記アドレスにより特定される前記他のアドレスを示す情報、または前記アドレスにより特定される、前記表示手段に表示された前記画像の内容を表すタイトルを示す情報を取得する取得手段（例えば、図５の通信制御部２１４）をさらに設け、前記生成手段（例えば、図５の生成部２１５）には、前記取得手段により取得された、前記他の画像を表示させるための画像データ、前記他のアドレスを示す情報、または前記タイトルを示す情報を基に、前記ブックマークデータを生成させるようにすることができる。
【００２３】
この情報処理装置には、前記ブックマークデータを基に、前記表示手段（例えば、図４の表示部２１）に表示された前記画像の内容を想起させる前記他の画像、前記他のアドレス、または前記画像の内容を表すタイトルを含む情報を表示させる表示制御手段（例えば、図６の表示制御部２４１）をさらに設けることができる。
【００２４】
この情報処理装置には、前記他のアドレスにアクセスさせて、前記表示手段（例えば、図４の表示部２１）に表示された前記画像の内容に関する情報が掲載されているウェブページを表示させる表示制御手段（例えば、図６の表示制御部２４１）をさらに設けることができる。
【００２５】
本発明の一側面の情報処理方法またはプログラムは、映像信号を基に表示される画像であって、表示手段に表示された画像に関係付けられたネットワーク上のアドレスを示す情報を、前記映像信号から抽出し（例えば、図７のステップＳ１３）、抽出された前記アドレスを示す情報に基づいて、前記アドレスを示す情報、または前記表示手段に表示された前記画像に関係付けられた、前記ネットワーク上の他のアドレスを示す情報が含まれるブックマークデータを生成する（例えば、図８のステップＳ４４、ステップＳ４５、ステップＳ４７、ステップＳ４８、ステップＳ５１、ステップＳ５２、ステップＳ５４、またはステップＳ５５）ステップを含む。
【００２６】
本発明は、例えば、テレビ番組を表示させるテレビジョン受像機、携帯電話機、パーソナルコンピュータなどに適用することができる。
【００２７】
以下、図面を参照して本発明を適用した実施の形態について説明する。
【００２８】
図１は、本発明を適用した画像表示システムの一実施の形態の構成例を示している。この画像表示システムは、表示装置１１、サーバ１２、および表示装置１１を遠隔操作するためのリモートコマンダ１３から構成され、表示装置１１は、例えば、インターネットなどの通信網１４を介してサーバ１２に接続されている。
【００２９】
表示装置１１は、例えば、テレビジョン受像機などから構成され、表示装置１１には、画像を表示させる表示部２１、およびリモートコマンダ１３からの赤外線信号を受光（受信）する受光部２２が設けられている。例えば、ユーザがリモートコマンダ１３を操作すると、リモートコマンダ１３から表示装置１１には、ユーザの操作に応じた赤外線信号が送信されてくるので、表示装置１１の受光部２２は、リモートコマンダ１３からの赤外線信号を受光し、表示装置１１は、受光部２２が受光した赤外線信号に応じた処理を行う。
【００３０】
例えば、表示装置１１は、受光した赤外線信号に応じて、図示せぬ送信局または放送衛星から送信されてくる、番組を再生するための放送信号を受信し、受信した放送信号を基に、番組を再生して表示部２１に画像（番組の画像）を表示させる。
【００３１】
また、表示装置１１は、受光した赤外線信号に応じて、例えば、輝度、明るさ、色度調整などを行うためのOSD（On Screen Display）画面を表示部２１に表示させたり、通信網１４を介してサーバ１２からウェブページを表示させるためのデータを取得し、取得したデータを基に、ウェブページを表示部２１に表示させる。
【００３２】
さらに、表示装置１１は、例えば、ユーザの操作に応じてリモートコマンダ１３から送信されてくる、ブックマークを指示する赤外線信号を受光すると、受光した赤外線信号に応じて、番組を再生することにより表示部２１に表示されている画像（番組の画像）の内容を示す情報（の所在を示す情報）であるブックマークのデータ（以下、ブックマークデータと称する）を生成する。
【００３３】
なお、以下、ブックマークデータの生成を指示することを、単にブックマークを指示するとも称する。すなわち、この明細書において、ブックマークは、情報そのものを意味するものとしても、データを生成する動作を意味するものとしても用いることとする。
【００３４】
より具体的には、例えば、リモートコマンダ１３には、ブックマークを指示するための専用のボタン（以下、ブックマークボタンとも称する）が設けられており、ユーザはブックマークボタンを押圧するだけで、ブックマークを指示することができるようになされている。例えば、ユーザがリモートコマンダ１３のブックマークボタンを押圧して、表示装置１１にブックマークを指示すると、表示装置１１は、受光した赤外線信号に応じて、番組を再生することにより表示部２１に表示されている画像に関係付けられた、URL（Uniform Resource Locator）方式で記述されている通信網１４上におけるサーバ１２のアドレスを示す情報（以下、抽出URL情報とも称する）を放送信号から抽出する。なお、以下、URL方式で記述されているアドレスを単にURLとも称する。
【００３５】
ここで、抽出URL情報は、表示部２１に表示された画像の内容に関するより詳細な情報を取得するための情報である。例えば、抽出URL情報により示されるURL（以下、抽出URLとも称する）により特定されるサーバ１２は、抽出URLにより特定される、通信網１４上におけるウェブページ（を表示させるためのデータ）であって、表示部２１に表示された画像の内容に関するより詳細な情報が掲載されているウェブページのアドレスを示す情報（以下、受信URL情報とも称する）を記録している。表示装置１１は、抽出URLにアクセスすることにより、抽出URLにより特定される受信URL情報を取得することができる。
【００３６】
なお、抽出URL情報により示される抽出URL、および受信URL情報により示されるURL（以下、受信URLとも称する）がURL方式により記述されていると説明したが、抽出URL情報および受信URL情報は、通信網１４上のアドレスを示す情報の一例であり、これに限らず通信網１４上の所定のアドレスを示すＩＰ（Internet Protocol）アドレスなど他の方式としてもよい。
【００３７】
また、サーバ１２は、受信URL情報の他、さらに、表示部２１に表示された画像に関係付けられた画像データ、例えば、表示部２１に表示された画像の内容をユーザに容易に想起させる画像の画像データ（以下、ブックマーク画像データとも称する）と、表示部２１に表示された画像のタイトルを示す情報、例えば、表示部２１に表示された画像の内容を表すタイトル（文字列）を示す情報（以下、タイトル情報とも称する）とを記録している。サーバ１２は、ブックマーク画像データおよびタイトル情報を抽出URLで示されるアドレスに記録している。したがって、表示装置１１は、抽出URLでアクセスすることにより、受信URL情報とともに、抽出URLにより特定されるブックマーク画像データおよびタイトル情報を取得することができる。
【００３８】
このように、表示装置１１は、抽出URL情報を抽出すると、抽出した抽出URL情報により示される抽出URLによって特定されるサーバ１２に通信網１４を介してアクセスし、サーバ１２から抽出URLにより特定される、受信URL情報、ブックマーク画像データ、またはタイトル情報を取得（受信）する。
【００３９】
表示装置１１は、サーバ１２にアクセスして、ブックマーク画像データ、受信URL情報、またはタイトル情報を取得すると、取得したブックマーク画像データ、受信URL情報、またはタイトル情報を基に、抽出URLに関係付けられた画像の内容を示すブックマークのブックマークデータを生成する。
【００４０】
例えば、ブックマークデータには、ブックマーク画像データ、受信URL情報、またはタイトル情報が含まれており、ユーザは、リモートコマンダ１３を操作することにより、表示装置１１に、ブックマークデータを基にブックマークの内容を表示させることができる。例えば、表示されるブックマークには、ブックマーク画像データを基に表示される画像（以下、ブックマーク画像とも称する）、受信URL情報により示される受信URL、またはタイトル情報により示されるタイトル（以下、ブックマークタイトルとも称する）が含まれており、ユーザは、表示されたブックマークを見ることにより、ブックマークした内容を容易に思い出すことができる。
【００４１】
また、ユーザは、リモートコマンダ１３を操作して、表示されているブックマークを選択することにより、表示装置１１にブックマークに含まれる受信URLで示されるアドレスにアクセスさせ、受信URLにより特定されるウェブページを表示させることにより、ウェブページを閲覧してブックマークした内容に関するより詳細な情報を得ることができる。
【００４２】
サーバ１２は、例えば、コンピュータなどから構成され、表示装置１１からの要求に応じて、例えば、ウェブページを表示させるためのデータ、または抽出URLにより特定されるブックマーク画像データ、受信URL情報、若しくはタイトル情報を、通信網１４を介して表示装置１１に送信する。
【００４３】
さらに、表示装置１１には必要に応じて、例えば、デジタルビデオレコーダ、ハードディスクレコーダなどの記録再生装置（図示せず）を接続することができ、表示装置１１は、例えば、リモートコマンダ１３からの赤外線信号に応じて、受信した放送信号を記録再生装置に供給して番組を録画させたり、記録再生装置から供給された映像信号および音声信号を基に、録画された番組を再生することができる。
【００４４】
ところで、表示装置１１が受信する放送信号を基に再生される番組においては、例えば、図２に示すように、複数のシーンとコマーシャルとが含まれている。図２では、番組５１には、シーン６１−１乃至シーン６１−３、およびコマーシャル６２−１乃至コマーシャル６２−５が含まれており、シーン６１−１乃至シーン６１−３のそれぞれは、例えば、番組を構成する１つの企画（コーナー）に含まれる所定のシーンを表し、コマーシャル６２−１乃至コマーシャル６２−５のそれぞれは、例えば、所定の商品などの宣伝を表している。
【００４５】
したがって、例えば、番組５１を構成する１つの企画が、焼肉屋を紹介する企画であるとすると、その企画に含まれる１つのシーン（例えば、シーン６１−１）は、焼肉屋を紹介する企画における、１つの焼肉屋の店舗を紹介するシーンとされる。なお、以下、シーン６１−１乃至シーン６１−３のそれぞれを個々に区別する必要のない場合、単にシーン６１と称する。また、以下、コマーシャル６２−１乃至コマーシャル６２−５のそれぞれを個々に区別する必要のない場合、単にコマーシャル６２と称する。
【００４６】
また、番組５１に含まれているシーン６１およびコマーシャル６２には、それぞれ１または複数のURLが関係付けられており、放送信号のうちシーン６１またはコマーシャル６２に対応する部分、すなわち番組５１のシーン６１またはコマーシャル６２の部分を再生するための放送信号には、シーン６１またはコマーシャル６２に関係付けられたURLを示す情報が埋め込まれている。
【００４７】
図２では、シーン６１−１にはURL６３−１が関係付けられており、コマーシャル６２−１乃至コマーシャル６２−３のそれぞれには、URL６３−２乃至URL６３−４のそれぞれが関係付けられている。また、シーン６１−２にはURL６３−５が関係付けられており、コマーシャル６２−４およびコマーシャル６２−５には、それぞれURL６３−６およびURL６３−７が関係付けられており、さらに、シーン６１−３にはURL６３−８が関係付けられている。したがって、例えば、番組５１のシーン６１−１の部分を再生するための放送信号には、シーン６１−１に関係付けられたURL６３−１を示す情報が埋め込まれている。なお、以下、URL６３−１乃至URL６３−８のそれぞれを個々に区別する必要のない場合、単にURL６３と称する。
【００４８】
そして、例えば、表示装置１１（図１）が、放送信号を受信して番組５１を再生しているときに、番組５１を視聴しているユーザが、リモートコマンダ１３に設けられたブックマークボタンを押圧することにより、ブックマークを指示すると、リモートコマンダ１３は、ユーザの操作に応じて、ブックマークを指示する赤外線信号を生成し、表示装置１１に送信する。
【００４９】
ユーザがリモートコマンダ１３に設けられたブックマークボタンを押圧すると、リモートコマンダ１３は、ユーザの操作に応じて赤外線信号を送信するので、表示装置１１は、リモートコマンダ１３から送信されてきた赤外線信号を受信（受光）して、表示装置１１の表示部２１に表示されている画像（番組５１の画像）に関係付けられたURLを示す情報、すなわち、番組５１のシーン６１またはコマーシャル６２に関係付けられたURL６３を示す情報を、番組５１のシーン６１またはコマーシャル６２に対応する部分の放送信号から抽出URL情報として抽出する。
【００５０】
したがって、例えば、表示装置１１が、番組５１のシーン６１−１の部分に対応する画像を表示部２１に表示しているときに、ユーザがリモートコマンダ１３を操作して、ブックマークを指示すると、表示装置１１は、リモートコマンダ１３から受信した赤外線信号に応じて、シーン６１−１の部分に対応する画像に関係付けられたURLを示す情報、すなわちシーン６１−１に関係付けられたURL６３−１を示す情報を、抽出URL情報としてシーン６１−１に対応する部分の放送信号から抽出する。
【００５１】
表示装置１１は、抽出URL情報を抽出すると、上述したように、抽出URL情報により示される抽出URL（例えば、URL６３−１）によって特定されるサーバ１２にアクセスし、サーバ１２から抽出URLによって特定されるブックマーク画像データ、受信URL情報、またはタイトル情報を取得して、ブックマークデータを生成する。
【００５２】
また、ユーザはリモートコマンダ１３を操作することにより、生成されたブックマークデータにより示されるブックマークを表示装置１１に表示させることができる。これにより、表示装置１１の表示部２１には、例えば、図３に示す一覧表示画面が表示される。
【００５３】
図３では、ブックマークの一覧を表示する一覧表示画面９１には、表示部２１に表示された画像（番組の画像）の内容を示すブックマーク９２−１乃至ブックマーク９２−３が表示されている。
【００５４】
例えば、ブックマーク９２−１には、ブックマーク画像９３−１、ブックマークタイトル９４−１、および受信URL９５−１が含まれており、例えば、ブックマーク９２−１には、所定の商品“MEGA”を紹介するホームページ（ウェブページ）のトップページの画像が、ブックマーク画像９３−１として表示され、文字“MEGAホームページ”がブックマークタイトル９４−１として表示され、所定の商品“MEGA”を紹介するホームページにアクセスするためのURL“http://www.somy.jp/products/Consumer/mega/”が受信URL９５−１として表示されている。
【００５５】
また、例えば、ブックマーク９２−２には、ブックマーク画像９３−２、ブックマークタイトル９４−２、および受信URL９５−２が含まれており、所定の商品の画像が、ブックマーク画像９３−２として表示され、その商品名を示す文字“Oh.Letour”がブックマークタイトル９４−２として表示され、商品“Oh.Letour”を紹介するホームページにアクセスするためのURL“http://www.ohateau-letour.com/index.html”が受信URL９５−２として表示されている。
【００５６】
同様に、ブックマーク９２−３には、ブックマーク画像９３−３、ブックマークタイトル９４−３、および受信URL９５−３が含まれており、例えば、ブックマーク９２−３には、焼肉屋である焼肉市場本荘の店舗の写真が、ブックマーク画像９３−３として表示され、文字“焼肉市場本荘”がブックマークタイトル９４−３として表示され、焼肉市場本荘のホームページにアクセスするためのURL“http://www.yakiniku.com/honjo.html”が受信URL９５−３として表示されている。
【００５７】
したがって、例えば、表示装置１１により、焼肉屋である焼肉市場本荘を紹介する番組が再生され、ユーザがその番組を視聴しているときに、ユーザが焼肉市場本荘に興味を持ち、リモートコマンダ１３を操作してブックマークを指示すると、表示装置１１は、リモートコマンダ１３からの赤外線信号を受信して、受信した赤外線信号に応じて、ユーザがブックマークを指示したときに表示部２１に表示されていた画像（焼肉市場本荘を紹介する番組の画像）の内容を示すブックマーク９２−３のブックマークデータを生成する。
【００５８】
そして、例えば、ユーザが焼肉市場本荘を紹介する番組の放送が終了してから、リモートコマンダ１３を操作して一覧表示画面９１の表示を指示すると、表示装置１１の表示部２１には図３に示した一覧表示画面９１が表示され、一覧表示画面９１には、新たに生成された焼肉市場本荘を紹介する番組の画像の内容を示すブックマーク９２−３が表示される。これにより、ユーザは、ブックマーク９２−３を見ることで、番組で紹介された焼肉市場本荘に興味を持ってブックマークしたことを容易に思い出すことができる。
【００５９】
また、ユーザは、例えば、リモートコマンダ１３を操作してブックマーク９２−３を選択し、“http://www.yakiniku.com/honjo.html”により特定される焼肉市場本荘のホームページにアクセスして、表示装置１１の表示部２１に、焼肉市場本荘のホームページ（ウェブページ）を表示させることによって、焼肉市場本荘のホームページを閲覧し、焼肉市場本荘に関するより詳細な情報を得ることができる。
【００６０】
なお、以下、ブックマーク９２−１乃至ブックマーク９２−３のそれぞれを個々に区別する必要のない場合、単にブックマーク９２と称する。また、以下、ブックマーク画像９３−１乃至ブックマーク画像９３−３のそれぞれを個々に区別する必要のない場合、単にブックマーク画像９３と称する。
【００６１】
同様に、以下、ブックマークタイトル９４−１乃至ブックマークタイトル９４−３のそれぞれを個々に区別する必要のない場合、単にブックマークタイトル９４と称する。また、以下、受信URL９５−１乃至受信URL９５−３のそれぞれを個々に区別する必要のない場合、単に受信URL９５と称する。
【００６２】
次に、以上において説明した表示装置１１の構成について説明する。図４は表示装置１１の構成例を示すブロック図である。
【００６３】
表示装置１１は、表示部２１、受光部２２、アンテナ１２１、チューナ１２２、デスクランブラ１２３、デマルチプレクサ１２４、映像切替部１２５、映像復号回路１２６、音声切替部１２７、音声復号回路１２８、スピーカ１２９、OSD付加回路１３０、CPU（Central Processing Unit）１３１、メモリ１３２、記録部１３３、インターフェース１３４、およびドライブ１３５を含むように構成され、チューナ１２２、デスクランブラ１２３、デマルチプレクサ１２４、映像切替部１２５、映像復号回路１２６、音声切替部１２７、音声復号回路１２８、OSD付加回路１３０、CPU１３１、およびインターフェース１３４は、バス１３６により相互に接続されている。
【００６４】
アンテナ１２１は、図示せぬ送信局または放送衛星から、例えば、トランスポートストリーム形式で送信されてくる放送信号を受信してチューナ１２２に供給する。チューナ１２２は、CPU１３１の制御の基に放送局（チャンネル）の選局を行い、アンテナ１２１から供給された放送信号を復調してデスクランブラ１２３に供給する。
【００６５】
デスクランブラ１２３はCPU１３１の制御の基に、必要に応じてチューナ１２２から供給された放送信号のうち、有料放送の放送信号などの暗号化されている放送信号のスクランブルを解除して、放送信号をデマルチプレクサ１２４に供給する。
【００６６】
デマルチプレクサ１２４は、デスクランブラ１２３から供給された放送信号の多重化を解き、放送信号から映像信号（ビデオストリーム）、音声信号（オーディオストリーム）、およびデータ放送信号を分離させる。そして、デマルチプレクサ１２４は、分離された映像信号を映像切替部１２５に供給し、音声信号を音声切替部１２７に供給し、さらにデータ放送信号を、バス１３６を介してCPU１３１に供給する。
【００６７】
また、録画時において、デマルチプレクサ１２４は、デスクランブラ１２３から供給された放送信号から映像信号および音声信号を分離させ、分離された映像信号および音声信号を、インターフェース１３４を介して記録再生装置１４１に供給して記録させる。
【００６８】
映像切替部１２５はCPU１３１の制御の基に、デマルチプレクサ１２４からの出力か、またはインターフェース１３４からの出力かを切り替えて、デマルチプレクサ１２４またはインターフェース１３４から供給された映像信号を映像復号回路１２６に供給する。
【００６９】
映像復号回路１２６は、映像切替部１２５から供給された映像信号を、例えばMPEG2（Moving Picture Experts Group phase 2）などの方式により復号し、さらに復号により得られた映像信号をデジタル信号から、例えばNTSC（National Television Standards Committee）方式のアナログ信号に変換して、アナログ信号に変換された映像信号を表示部２１に供給する。
【００７０】
表示部２１は、例えば、CRT（Cathode Ray Tube）、液晶ディスプレイなどからなり、必要に応じてOSD付加回路１３０からのGUI（Graphical User Interface）映像信号が付加された、映像復号回路１２６からの映像信号を基に画像を表示させる。
【００７１】
音声切替部１２７は、CPU１３１の制御の基に、デマルチプレクサ１２４からの出力か、またはインターフェース１３４からの出力かを切り替えて、デマルチプレクサ１２４またはインターフェース１３４から供給された音声信号を音声復号回路１２８に供給する。
【００７２】
音声復号回路１２８は、音声切替部１２７から供給された音声信号を、例えばAAC（Advanced Audio Coding）などの方式で復号し、さらに復号により得られた音声信号をデジタル信号からアナログ信号に変換して、アナログ信号に変換された音声信号をスピーカ１２９に供給する。スピーカ１２９は、音声復号回路１２８から供給された音声信号を基に音声を再生する。
【００７３】
OSD付加回路１３０はCPU１３１の制御の基に、CPU１３１から供給されたデータ放送信号などに基づいて、例えば、OSD画面、EPG（Electronic Program Guide）、ウェブページ、一覧表示画面９１などを表示させるためのGUI映像信号を生成し、生成したGUI映像信号を、必要に応じて映像復号回路１２６から表示部２１に供給される映像信号に付加して表示部２１に供給する。
【００７４】
受光部２２は、リモートコマンダ１３から送信されてきた赤外線信号を受光し、受光した光信号である赤外線信号を、受光した光の強さを示す電気信号であるコマンド信号に変換して、これにより得られたコマンド信号をCPU１３１に供給する。
【００７５】
CPU１３１は、記録部１３３またはメモリ１３２に記録されているＯＳ（Operating System）、ウェブブラウザなどの各種のプログラムを読み込んで実行し、表示装置１１全体を制御する。
【００７６】
CPU１３１は、受光部２２から供給されたコマンド信号に応じて、各種の処理を行う。例えば、CPU１３１は、受光部２２から供給されたコマンド信号に応じて、通信網１４を介してサーバ１２にアクセスして、サーバ１２から送信されてきた各種のデータを、インターフェース１３４を介して受信し、受信したデータを必要に応じて記録部１３３に供給して記録させる。また、CPU１３１は、インターフェース１３４を介してドライブ１３５から供給されたプログラムやデータを記録部１３３に供給して記録させる。
【００７７】
さらに、CPU１３１は、デマルチプレクサ１２４から供給されたデータ放送信号、サーバ１２から受信したデータ、記録部１３３またはメモリ１３２から読み出したデータなどを必要に応じてOSD付加回路１３０に供給し、OSD付加回路１３０にGUI映像信号を生成させる。
【００７８】
メモリ１３２は、例えばRAM（Random Access Memory）などの書き込み可能な揮発性のメモリからなり、CPU１３１が実行するプログラムや、プログラムの作業データを一時的に記憶する。
【００７９】
記録部１３３は、例えば、電源が遮断されても記録内容を保持できるフラッシュメモリなどのいわゆる不揮発性の記録媒体からなり、ＯＳ、ウェブブラウザなどのCPU１３１が実行する各種のプログラムやデータを記録する。また、記録部１３３は、CPU１３１から供給されたデータやプログラムを記録する。
【００８０】
インターフェース１３４は、例えば、IEEE（Institute of Electrical and Electronic Engineers）１３９４に対応したi.LINK（登録商標）イーサネット（登録商標）、WLAN（Wireless Local Area Network）などの規格に準拠したデジタルインターフェースを含むように構成される。
【００８１】
インターフェース１３４には、記録再生装置１４１およびドライブ１３５が接続されており、インターフェース１３４は、バス１３６を介してデマルチプレクサ１２４から供給された映像信号および音声信号を記録再生装置１４１に供給し、記録再生装置１４１から供給される映像信号または音声信号を、バス１３６を介して映像切替部１２５または音声切替部１２７に供給する。また、インターフェース１３４は、ドライブ１３５から供給されたデータやプログラムをCPU１３１に供給する。
【００８２】
さらに、インターフェース１３４は、通信網１４に接続されており、CPU１３１から供給されたデータを、通信網１４を介してサーバ１２に供給し、通信網１４を介してサーバ１２から供給されたデータをCPU１３１に供給する。
【００８３】
ドライブ１３５は、磁気ディスク、光ディスク、光磁気ディスク、或いは半導体メモリなどのリムーバブルメディア１４２が装着されたとき、それらを駆動し、そこに記録されているプログラムやデータなどを取得する。取得されたプログラムやデータは、必要に応じて、インターフェース１３４およびCPU１３１を介して記録部１３３に転送され、記録される。
【００８４】
記録再生装置１４１は、表示装置１１に接続されており、表示装置１１から供給される映像信号および音声信号を記録することにより番組を録画する。また、記録再生装置１４１は、記録している映像信号および音声信号を表示装置１１に供給する。
【００８５】
図５は、CPU１３１がプログラムを実行することによって実現される、ブックマークデータを生成する処理を行うブックマークデータ生成部の機能の構成を示すブロック図である。
【００８６】
ブックマークデータ生成部２０１は、再生制御部２１１、キャプチャ部２１２、抽出部２１３、通信制御部２１４、生成部２１５、およびファイルシステム２１６を含むように構成される。ここで、再生制御部２１１、キャプチャ部２１２、抽出部２１３、通信制御部２１４、生成部２１５、およびファイルシステム２１６のそれぞれは、相互にデータ（信号）を授受することが可能とされている。
【００８７】
再生制御部２１１は、表示装置１１における番組の再生を制御する。例えば、再生制御部２１１は、受光部２２から供給されるコマンド信号に応じてチューナ１２２を制御して、チューナ１２２に選局を行わせたり、映像切替部１２５および音声切替部１２７を制御して、記録再生装置１４１から映像切替部１２５または音声切替部１２７に供給される映像信号または音声信号を、映像復号回路１２６または音声復号回路１２８に供給させて、録画された番組の再生を制御する。
【００８８】
キャプチャ部２１２は、表示部２１に表示されている画像の画像データをキャプチャする。例えば、キャプチャ部２１２は、受光部２２からブックマークを指示するコマンド信号が供給されると、受光部２２からブックマークを指示するコマンド信号が供給された時点において表示部２１に表示されている画像の画像データを、再生制御部２１１を介して映像復号回路１２６から取得する。なお、以下、キャプチャ部２１２によりキャプチャされた画像データをキャプチャ画像データとも称し、キャプチャ画像データにより表示される画像をキャプチャ画像とも称する。
【００８９】
抽出部２１３は、キャプチャ画像に関係付けられたURLを示す情報（抽出URL情報）を、映像切替部１２５から映像復号回路１２６に供給された、キャプチャ画像に対応する部分の映像信号から抽出し、抽出した抽出URL情報を映像復号回路１２６から取得する。
【００９０】
通信制御部２１４は、表示装置１１の通信網１４を介しての他の装置（例えば、サーバ１２）との通信を制御する。例えば、通信制御部２１４は、後述する表示制御部の通信部（図６の通信部２５２）を呼び出して、通信部に抽出部２１３が抽出した抽出URL情報により示される抽出URLにアクセスさせて、ブックマーク画像データ、タイトル情報、または受信URL情報を取得する。
【００９１】
生成部２１５は、キャプチャ画像データ、抽出URL情報、ブックマーク画像データ、タイトル情報、または受信URL情報を基に、ブックマークデータを生成する。ファイルシステム２１６は、記録部１３３に記録されている各種のデータを管理する。例えば、ファイルシステム２１６は、生成部２１５が生成したブックマークデータを記録部１３３に供給して記録させる。
【００９２】
図６は、CPU１３１がウェブブラウザを実行することによって実現される、ブックマークの一覧を表示する一覧表示画面９１やウェブページを表示部２１に表示させる処理を行う表示制御部の機能の構成を示すブロック図である。
【００９３】
表示制御部２４１は、ブックマーク管理部２５１、通信部２５２、プロトコル処理部２５３、パーザ２５４、イメージデコーダ２５５、Java Script Engine２５６、レイアウタ２５７、入力処理部２５８、レンダラ２５９、およびWidow System/Graphics２６０を含むように構成される。
【００９４】
ブックマーク管理部２５１は、記録部１３３からブックマークデータを取得し、受光部２２から所定のブックマークが選択された旨のコマンド信号が供給されると、選択されたブックマークのブックマークデータに含まれる受信URL情報を通信部２５２に供給する。
【００９５】
通信部２５２は、表示装置１１に、通信網１４を介して他の装置（例えば、サーバ１２）と通信させ、各種のデータの授受を行わせる。例えば、通信部２５２は、表示装置１１に、ブックマーク管理部２５１から供給された受信URL情報により示される受信URL（により示されるアドレス）にアクセスさせてウェブページを表示させるためのデータを取得させたり、通信制御部２１４から供給された抽出URL情報により特定される抽出URL（により示されるアドレス）にアクセスさせて、ブックマーク画像データ、タイトル情報、または受信URL情報を取得させる。
【００９６】
プロトコル処理部２５３は、例えば、HTTP（HyperText Transfer Protocol）などのプロトコルにしたがって、通信部２５２が取得させたウェブページを表示させるためのデータに対してプロトコル処理を行う。
【００９７】
パーザ２５４は、プロトコル処理が施されたウェブページを表示させるためのデータまたはブックマークデータに、例えば、HTML、CSS（Cascading Style Sheet）、Java Script（登録商標）などの形式で記述されている文字列の構文を解析する。イメージデコーダ２５５は、必要に応じて、ウェブページを表示させるためのデータまたはブックマークデータに含まれている画像データを所定の方式により復号する。
【００９８】
Java Script Engine２５６は、パーザ２５４による構文の解析結果に応じて、Java Scriptを実行する。レイアウタ２５７は、パーザ２５４による構文の解析結果に応じて、表示部２１に表示させる文字、画像、リンク先を示す文字などのレイアウト（配置）を定める。
【００９９】
入力処理部２５８は、レイアウタ２５７およびレンダラ２５９と協調しながら（連動して）動作し、受光部２２から供給されるコマンド信号に応じて、表示制御部２４１の各部にコマンド信号に応じた処理を実行させる。レンダラ２５９は、レイアウタ２５７により定められた文字、画像、リンク先を示す文字などのレイアウトにしたがって、Widow System/Graphics２６０に文字や画像などの描画の指示を行い、Widow System/Graphics２６０は、レンダラ２５９の指示にしたがって文字や画像などの描画を行い、表示部２１にウェブページや一覧表示画面９１を表示させる。
【０１００】
次に、図７のフローチャートを参照して、表示装置１１によるブックマークの作成処理を説明する。
【０１０１】
例えば、ユーザが表示装置１１において受信され、再生されている番組を視聴しているときに、リモートコマンダ１３のブックマークボタンを押圧することによって、ブックマークを指示すると、リモートコマンダ１３は、ユーザの操作に応じてブックマークを指示する赤外線信号を生成し、生成した赤外線信号を表示装置１１に送信する。
【０１０２】
リモートコマンダ１３から表示装置１１に赤外線信号が送信されてくると、ステップＳ１１において受光部２２は、リモートコマンダ１３からのブックマークを指示する赤外線信号を受光（受信）する。受光部２２は、受光した光信号である赤外線信号を、受光した光の強さを示す電気信号であるコマンド信号に変換して、これにより得られたコマンド信号をCPU１３１（ブックマークデータ生成部２０１）に供給する。
【０１０３】
ステップＳ１２において、キャプチャ部２１２は、受光部２２から供給されたブックマークを指示するコマンド信号に応じて、受光部２２からブックマークを指示するコマンド信号が供給された時点において、表示部２１に表示されている画像の画像データ（キャプチャ画像データ）をキャプチャする。例えば、キャプチャ部２１２は、映像切替部１２５から映像復号回路１２６に供給された映像信号から、キャプチャ画像データを抽出して、再生制御部２１１を介して映像復号回路１２６から取得する。
【０１０４】
ステップＳ１３において、抽出部２１３は、キャプチャ画像に関係付けられたURLを示す情報（抽出URL情報）を、キャプチャ画像に対応する部分の映像信号から抽出する。例えば、抽出部２１３は、映像切替部１２５から映像復号回路１２６に供給された、キャプチャ画像に対応する映像信号（キャプチャ画像を表示させる映像信号）の垂直ブランキング期間に埋め込まれているURLを示す情報（抽出URL情報）を抽出して、抽出した抽出URL情報を映像復号回路１２６から取得する。
【０１０５】
例えば、表示装置１１が、図２の番組５１のシーン６１−１の部分に対応する画像を表示部２１に表示しているときに、ユーザがリモートコマンダ１３を操作して、ブックマークを指示し、キャプチャ部２１２がシーン６１−１の部分に対応する画像のキャプチャ画像データをキャプチャすると、抽出部２１３は、シーン６１−１の部分に対応する画像（キャプチャ画像）に関係付けられたURL６３−１を示す情報を、抽出URL情報としてシーン６１−１に対応する部分の映像信号から抽出する。
【０１０６】
なお、抽出URL情報は、番組の画像にＱＲコードまたはURLを示す文字が表示されるようにすることにより、映像信号（放送信号）に埋め込むようにしてもよく、また、例えば、静止画像または動画像に、人間の目が知覚することができないように情報を埋め込む技術である電子透かしを利用して映像信号（放送信号）に埋め込むようにしてもよい。
【０１０７】
例えば、番組の画像にＱＲコードが表示される場合、抽出部２１３は、キャプチャ部２１２がキャプチャしたキャプチャ画像データに所定の画像処理を施して、キャプチャ画像上において抽出URLを示すＱＲコードが表示されている位置（部分）を特定する。そして、抽出部２１３は、ＱＲコードが表示されている位置が特定されると、ＱＲコード（より詳細にはキャプチャ画像データ）を所定の方式で復号することによって抽出URL情報を抽出する。
【０１０８】
また、例えば、番組の画像にURLを示す文字が表示される場合、抽出部２１３は、キャプチャ部２１２がキャプチャしたキャプチャ画像データに所定の画像処理を施して、キャプチャ画像上において抽出URLを示す文字が表示されている位置（部分）を特定する。そして、抽出部２１３は、抽出URLを示す文字が表示されている位置が特定されると、例えば、パターンマッチング処理などを行うことによって、キャプチャ画像上の抽出URLを示す文字を認識し、抽出URL情報を抽出する。
【０１０９】
さらに、電子透かしを利用して、例えば、置換法、拡散法、ベクトル量子化法などにより番組の画像に抽出URL情報が埋め込まれている場合、抽出部２１３は、キャプチャ画像データを基に、キャプチャ画像上において抽出URL情報が埋め込まれている位置（部分）を特定し、例えば、キャプチャ画像データに所定の画像処理を施すことにより抽出URL情報を抽出する。
【０１１０】
さらに、また、抽出部２１３が、デジタル放送システムにおけるデータ伝送方式により送信されてくるURLを示す情報を、放送信号から抽出URL情報として抽出するようにしてもよい。
【０１１１】
抽出部２１３が抽出URL情報を抽出すると、ステップＳ１４において、通信制御部２１４は、表示制御部２４１の通信部２５２を呼び出して、通信部２５２に抽出部２１３が抽出した抽出URL情報により示される抽出URL（により示されるアドレス）にアクセスさせて、ブックマーク画像データ、タイトル情報、または受信URL情報を取得する。
【０１１２】
例えば、通信制御部２１４は、通信部２５２に抽出URL情報により示される抽出URLによって特定されるサーバ１２にアクセスさせる。そして、通信制御部２１４は、通信部２５２に、抽出URLによって特定されるブックマーク画像データ、タイトル情報、または受信URL情報をサーバ１２から取得させる。
【０１１３】
すなわち、表示装置１１は、通信制御部２１４の制御の基に、抽出URLによって特定されるサーバ１２にアクセスして、サーバ１２と通信を行う。そして、表示装置１１は、サーバ１２に、抽出URLによって特定されるブックマーク画像データ、タイトル情報、または受信URL情報の送信を要求する。これに対してサーバ１２は、表示装置１１から要求されたブックマーク画像データ、タイトル情報、または受信URL情報を、通信網１４を介して表示装置１１に送信する。そして、表示装置１１は、通信制御部２１４の制御の基に、サーバ１２から送信されてきたブックマーク画像データ、タイトル情報、または受信URL情報を受信する。これにより、サーバ１２から受信した、抽出URLによって特定されるブックマーク画像データ、タイトル情報、または受信URL情報が、インターフェース１３４を介して通信制御部２１４に供給される。
【０１１４】
ステップＳ１５において、通信制御部２１４は、エラーが発生したか否かを判定する。例えば、通信制御部２１４は、ステップＳ１４の処理において、表示装置１１（通信部２５２）が抽出URL情報により示される抽出URLにアクセスできなかった場合、エラーが発生したと判定し、表示装置１１（通信部２５２）が抽出URLにアクセスできた場合、エラーが発生していないと判定する。
【０１１５】
ステップＳ１５において、エラーが発生していないと判定された場合、抽出URL情報により示される抽出URLにアクセスすることができたので、ステップＳ１６に進み、生成の処理を行って、ブックマークの作成処理は終了する。なお、生成の処理の詳細は後述するが、生成の処理においてブックマークデータ生成部２０１は、サーバ１２から取得したブックマーク画像データ、タイトル情報、または受信URL情報を基に、ブックマークデータを生成して記録部１３３に供給し、生成したブックマークデータを記録させる。これにより、ユーザは、リモートコマンダ１３を操作することによって、例えば、図３に示した一覧表示画面９１を表示部２１に表示させることができる。
【０１１６】
一方、ステップＳ１５において、エラーが発生したと判定された場合、抽出URLにアクセスできなかったのでステップＳ１７に進み、再生制御部２１１は、表示部２１にブックマークデータが生成できなかった旨のアイコンを表示させて、ブックマークの作成処理は終了する。
【０１１７】
例えば、ステップＳ１５において、エラーが発生したと判定されると、通信制御部２１４は、再生制御部２１１にアイコンの表示を指示する。再生制御部２１１は、通信制御部２１４からの指示を受けると、記録部１３３からブックマークデータが生成できなかった旨のアイコンを表示させるための画像データを取得してOSD付加回路１３０に供給する。そして、再生制御部２１１は、OSD付加回路１３０に供給した画像データを基にGUI映像信号を生成させ、GUI映像信号を映像復号回路１２６から表示部２１に供給される映像信号に付加させて表示部２１に供給させる。これにより表示部２１には、例えば、映像復号回路１２６から表示部２１に供給される映像信号を基に表示される番組の画像に重畳されて、ブックマークデータが生成できなかった旨のアイコンが表示される。
【０１１８】
このようにして、表示装置１１は、ブックマークが指示されると、ブックマークが指示された時点において表示部２１に表示されている画像（番組の画像）に関係付けられた抽出URL情報を、その画像に対応する部分の映像信号（放送信号）から抽出する。そして、表示装置１１は、抽出した抽出URL情報により示される抽出URLにアクセスして、抽出URLにより特定されるブックマーク画像データ、タイトル情報、または受信URL情報を取得し、取得したブックマーク画像データ、タイトル情報、または受信URL情報を基にブックマークデータを生成する。
【０１１９】
したがって、例えば、ユーザは、表示装置１１において再生されている番組を視聴しているときに、視聴している番組に関係する情報であって、自分にとって興味のある情報についてのより詳細な情報を得たい場合に、リモートコマンダ１３に設けられた、ブックマークボタンを押圧するという簡単な操作で、表示装置１１に、その番組の画像の内容を示すブックマークのデータを生成させることができる。
【０１２０】
そして、表示装置１１は、映像信号から抽出URL情報を抽出し、抽出URLにより特定されるブックマーク画像データ、タイトル情報、または受信URL情報を取得して、ブックマークデータを生成するので、ユーザはいちいちリモートコマンダ１３を操作して文字などの入力操作を行う必要もなく、表示部２１に余計な画像（例えば、所定の情報を検索するためのアプリケーションプログラムのGUI画像など）も表示されないので、ユーザの番組の視聴を妨げることはない。
【０１２１】
さらに、ユーザは、リモートコマンダ１３を操作することにより、例えば、図３に示した、生成したブックマークデータにより示されるブックマーク９２の一覧である一覧表示画面９１を表示装置１１に表示させ、一覧表示画面９１からブックマーク９２を選択することによって、ブックマーク９２の受信URL９５により特定されるウェブページを表示させることができる。これにより、ユーザは、表示されたウェブページを閲覧することによって、表示装置１１において再生された番組を視聴して得られた、自分にとって興味のある情報（すなわち、番組から得られた情報）についてのより詳細な情報を得ることができる。
【０１２２】
このように、映像信号（放送信号）から抽出URL情報を抽出し、抽出した抽出URL情報により示される抽出URLによって特定されるブックマーク画像データ、タイトル情報、または受信URL情報を取得してブックマークデータを生成することによって、ユーザは、番組を視聴しているときに、リモートコマンダ１３の１つのボタンを押圧するという簡単な操作で、しかも番組の視聴を中断することなく、表示画面に表示された画像に関係付けられた情報を得ることができる。
【０１２３】
また、従来のように、ユーザが所望する情報を検索するためのキーワードやURLを直接入力する必要がないので、ユーザは、いちいち、所望する情報に関するキーワード（例えば、番組において紹介された商品の名前など）や、表示部２１に表示されたURLを記憶したり、メモしたりする必要がなくなり、さらに、ユーザが所望する情報に関するキーワードを忘れたり、ユーザの入力ミスなどにより、ユーザが所望する情報が得られなくなるようなことはない。
【０１２４】
なお、例えば、受信した番組を再生するとともに、番組を再生するための映像信号および音声信号を記録再生装置１４１に供給して番組を録画している場合などにおいては、ブックマークデータ生成部２０１が生成したブックマークデータを、記録部１３３ではなく記録再生装置１４１に供給して記録させるようにしてもよい。また、ユーザがリモートコマンダ１３を操作することによりブックマークを指示すると説明したが、例えば、表示装置１１にブックマークを指示するためのボタンなどを設け、ユーザがそのボタンを操作することにより、ブックマークを指示するようにすることももちろん可能である。
【０１２５】
さらに、表示装置１１が受信した番組を再生する場合に限らず、記録再生装置１４１に録画されている番組を再生する場合においても、番組を再生することにより表示部２１に表示される画像（番組の画像）の内容を示すブックマークデータを生成することももちろん可能である。
【０１２６】
例えば、番組を録画する場合に、CPU１３１は、デマルチプレクサ１２４から記録再生装置１４１に供給される映像信号から抽出URL情報を抽出して記録再生装置１４１に供給する。そして、CPU１３１は、記録再生装置１４１に、デマルチプレクサ１２４から記録再生装置１４１に供給された映像信号（ビデオストリーム）のオプションフィールドなどに、CPU１３１が供給した抽出URL情報を拡張データとして格納させて、抽出URL情報が格納された映像信号、および音声信号を記録させる。
【０１２７】
したがって、この場合、例えば、記録再生装置１４１に録画された番組を表示装置１１において再生しているときに、ユーザがリモートコマンダ１３を操作してブックマークを指示すると、抽出部２１３は、キャプチャ画像に関係付けられたURLを示す情報（抽出URL情報）を、キャプチャ画像に対応する部分の放送信号のオプションフィールドなどから抽出する。
【０１２８】
また、例えば、映像復号回路１２６から、インターフェース１３４を介して記録再生装置１４１にアナログ信号である映像信号が供給されて番組が録画される場合、例えば、記録再生装置１４１が、映像信号の垂直ブランキング期間に埋め込まれている抽出URL情報を抽出して、抽出した抽出URL情報を、アナログ信号からデジタル信号に変換した映像信号の拡張データとして記録するときには、番組の再生時において、記録再生装置１４１は、拡張データとして記録している抽出URL情報を、アナログ信号である映像信号の垂直ブランキング期間に再び埋め込んで、抽出URL情報が埋め込まれた映像信号を表示装置１１に供給する。
【０１２９】
したがって、この場合、例えば、記録再生装置１４１は、録画されている番組を再生するとき、記録しているデジタル信号である映像信号をアナログ信号である映像信号に変換するとともに、アナログ信号である映像信号の垂直ブランキング期間に、拡張データとして記録している抽出URL情報を埋め込んで、抽出URL情報が埋め込まれた映像信号、および音声信号を表示装置１１に供給する。
【０１３０】
表示装置１１では、記録再生装置１４１から供給された映像信号および音声信号を基に、録画された番組を再生しているときに、ユーザがリモートコマンダ１３を操作してブックマークを指示すると、抽出部２１３は、映像切替部１２５から映像復号回路１２６に供給された、キャプチャ画像に対応する映像信号（キャプチャ画像を表示させる映像信号）の垂直ブランキング期間に埋め込まれている抽出URL情報を抽出して、映像復号回路１２６から取得する。
【０１３１】
さらに、例えば、表示装置１１から記録再生装置１４１にアナログ信号である映像信号が供給されて番組が録画され、記録再生装置１４１が、映像信号の垂直ブランキング期間に埋め込まれている抽出URL情報を抽出して記録することができない場合には、例えば、CPU１３１は、映像復号回路１２６から映像信号を取得し、取得した映像信号の垂直ブランキング期間から抽出URL情報を抽出し、抽出した抽出URL情報を基に、ＱＲコードを生成して映像信号に埋め込むようにしてもよい。
【０１３２】
例えば、CPU１３１は、映像信号から抽出した抽出URL情報を基にＱＲコードを生成し、生成したＱＲコードが、映像信号により表示される画像に表示されるように、ＱＲコードを映像信号に重畳することにより、映像信号に抽出URL情報を埋め込む。そして、CPU１３１は、抽出URL情報を埋め込んだ映像信号を、インターフェース１３４を介して記録再生装置１４１に供給して記録させる。
【０１３３】
したがって、この場合、例えば、記録再生装置１４１に録画された番組を表示装置１１において再生しているときに、ユーザがリモートコマンダ１３を操作してブックマークを指示すると、抽出部２１３は、キャプチャ画像に関係付けられた抽出URL情報を、キャプチャ画像データから抽出する。
【０１３４】
また、抽出URL情報がＱＲコード、URLを示す文字、または電子透かしとして、番組の画像に埋め込まれている場合には、アンテナ１２１において受信した番組を再生するときと同様にして、抽出部２１３は、キャプチャ画像データから抽出URL情報を抽出する。
【０１３５】
次に、図８のフローチャートを参照して、図７のステップＳ１６の処理に対応する生成の処理を説明する。
【０１３６】
表示装置１１が、抽出URLにアクセスすると、ステップＳ４１において、通信制御部２１４は、抽出URLにより特定されるサーバ１２からブックマーク画像データを取得したか否かを判定する。
【０１３７】
ステップＳ４１において、ブックマーク画像データを取得したと判定された場合、ステップＳ４２に進み、通信制御部２１４は、抽出URLにより特定されるサーバ１２からタイトル情報を取得したか否かを判定する。
【０１３８】
ステップＳ４２において、タイトル情報を取得したと判定された場合、ステップＳ４３に進み、通信制御部２１４は、抽出URLにより特定されるサーバ１２から受信URL情報を取得したか否かを判定する。
【０１３９】
ステップＳ４３において、受信URL情報を取得したと判定された場合、すなわち、抽出URLにより特定されるサーバ１２からブックマーク画像データ、タイトル情報、および受信URL情報を取得した場合、通信制御部２１４は、取得したブックマーク画像データ、タイトル情報、および受信URL情報を、抽出部２１３を介して生成部２１５に供給して、ステップＳ４４に進む。
【０１４０】
ステップＳ４４において、生成部２１５は、通信制御部２１４から供給されたブックマーク画像データ、タイトル情報、および受信URL情報を基に、ブックマークデータを生成して、ファイルシステム２１６に供給する。そして、ファイルシステム２１６は、生成部２１５から供給されたブックマークデータを記録部１３３に供給して記録させ、処理は終了する。
【０１４１】
また、ステップＳ４３において、受信URL情報を取得していないと判定された場合、すなわち、抽出URLにより特定されるサーバ１２からブックマーク画像データおよびタイトル情報を取得した場合、通信制御部２１４は、取得したブックマーク画像データおよびタイトル情報を、抽出部２１３を介して生成部２１５に供給し、ステップＳ４５に進む。
【０１４２】
ステップＳ４５において、生成部２１５は、受信URL情報を取得することができなかったので、抽出部２１３から抽出URL情報を取得し、受信URL情報に代えて抽出URL情報を用いてブックマークデータを生成する。すなわち、生成部２１５は、通信制御部２１４から供給されたブックマーク画像データおよびタイトル情報、並びに抽出部２１３から取得した抽出URL情報を基に、ブックマークデータを生成して、ファイルシステム２１６に供給する。そして、ファイルシステム２１６は、生成部２１５から供給されたブックマークデータを記録部１３３に供給して記録させ、処理は終了する。また、この場合、ブックマークデータを基に表示されるブックマーク９２（図３）の受信URL９５は、抽出URL情報により示される抽出URLとされる。
【０１４３】
また、ステップＳ４２において、タイトル情報を取得していないと判定された場合、ステップＳ４６に進み、通信制御部２１４は、抽出URLにより特定されるサーバ１２から受信URL情報を取得したか否かを判定する。
【０１４４】
ステップＳ４６において、受信URL情報を取得したと判定された場合、すなわち、抽出URLにより特定されるサーバ１２からブックマーク画像データおよび受信URL情報を取得した場合、通信制御部２１４は、取得したブックマーク画像データおよび受信URL情報を、抽出部２１３を介して生成部２１５に供給して、ステップＳ４７に進む。
【０１４５】
ステップＳ４７において、生成部２１５は、タイトル情報を取得することができなかったので、例えば、デマルチプレクサ１２４からEPGを表示させるためのEPG情報（データ放送信号）を取得し、タイトル情報に代えてEPG情報を用いてブックマークデータを生成する。すなわち、生成部２１５は、通信制御部２１４から供給されたブックマーク画像データおよび受信URL情報、並びにデマルチプレクサ１２４から取得したEPG情報を基に、ブックマークデータを生成して、ファイルシステム２１６に供給する。そして、ファイルシステム２１６は、生成部２１５から供給されたブックマークデータを記録部１３３に供給して記録させ、処理は終了する。
【０１４６】
また、この場合、ブックマークデータを基に表示されるブックマーク９２（図３）のブックマークタイトル９４は、EPG情報により示される、抽出URLに関係付けられた画像、すなわち、表示部２１に表示された番組のタイトル、放送日時、チャンネル名などとされる。また、抽出URLに関係付けられた画像が、コマーシャル（例えば、図２のコマーシャル６２）の画像である場合も、ブックマークタイトル９４は、例えば、EPG情報により示される番組のタイトル、放送日時、チャンネル名などとされる（例えば、“2005年７月25日10時15分30ch”などとされる）。
【０１４７】
また、ステップＳ４６において、受信URL情報を取得していないと判定された場合、すなわち、抽出URLにより特定されるサーバ１２からブックマーク画像データだけを取得した場合、通信制御部２１４は、取得したブックマーク画像データを、抽出部２１３を介して生成部２１５に供給し、ステップＳ４８に進む。
【０１４８】
ステップＳ４８において、生成部２１５は、タイトル情報および受信URL情報を取得することができなかったので、デマルチプレクサ１２４からEPG情報を取得し、さらに抽出部２１３から抽出URL情報を取得して、タイトル情報および受信URL情報に代えて、EPG情報および抽出URL情報を用いてブックマークデータを生成する。すなわち、生成部２１５は、通信制御部２１４から供給されたブックマーク画像データ、デマルチプレクサ１２４から取得したEPG情報、および抽出部２１３から取得した抽出URL情報を基に、ブックマークデータを生成して、ファイルシステム２１６に供給する。そして、ファイルシステム２１６は、生成部２１５から供給されたブックマークデータを記録部１３３に供給して記録させ、処理は終了する。
【０１４９】
また、この場合、ブックマークデータを基に表示されるブックマーク９２（図３）のブックマークタイトル９４は、EPG情報により示される、抽出URLに関係付けられた画像、すなわち、表示部２１に表示された番組のタイトル、放送日時、チャンネル名などとされ、受信URL９５は、抽出URL情報により示される抽出URLとされる。
【０１５０】
さらに、ステップＳ４１において、ブックマーク画像データを取得していないと判定された場合、ステップＳ４９に進み、通信制御部２１４は、抽出URLにより特定されるサーバ１２からタイトル情報を取得したか否かを判定する。
【０１５１】
ステップＳ４９において、タイトル情報を取得したと判定された場合、ステップＳ５０に進み、通信制御部２１４は、抽出URLにより特定されるサーバ１２から受信URL情報を取得したか否かを判定する。
【０１５２】
ステップＳ５０において、受信URL情報を取得したと判定された場合、すなわち、抽出URLにより特定されるサーバ１２からタイトル情報および受信URL情報を取得した場合、通信制御部２１４は、取得したタイトル情報および受信URL情報を、抽出部２１３を介して生成部２１５に供給して、ステップＳ５１に進む。
【０１５３】
ステップＳ５１において、生成部２１５は、ブックマーク画像データを取得することができなかったので、抽出部２１３からキャプチャ画像データを取得し、ブックマーク画像データに代えてキャプチャ画像データを用いてブックマークデータを生成する。すなわち、生成部２１５は、通信制御部２１４から供給されたタイトル情報および受信URL情報、並びに抽出部２１３から取得したキャプチャ画像データを基に、ブックマークデータを生成して、ファイルシステム２１６に供給する。そして、ファイルシステム２１６は、生成部２１５から供給されたブックマークデータを記録部１３３に供給して記録させ、処理は終了する。また、この場合、ブックマークデータを基に表示されるブックマーク９２（図３）のブックマーク画像９３は、キャプチャ画像データにより表示されるキャプチャ画像とされる。
【０１５４】
また、ステップＳ５０において、受信URL情報を取得していないと判定された場合、すなわち、抽出URLにより特定されるサーバ１２からタイトル情報だけを取得した場合、通信制御部２１４は、取得したタイトル情報を、抽出部２１３を介して生成部２１５に供給し、ステップＳ５２に進む。
【０１５５】
ステップＳ５２において、生成部２１５は、ブックマーク画像データおよび受信URL情報を取得することができなかったので、抽出部２１３からキャプチャ画像データおよび抽出URL情報を取得し、ブックマーク画像データおよび受信URL情報に代えて、キャプチャ画像データおよび抽出URL情報を用いてブックマークデータを生成する。すなわち、生成部２１５は、通信制御部２１４から供給されたタイトル情報、並びに抽出部２１３から取得したキャプチャ画像データおよび抽出URL情報を基に、ブックマークデータを生成して、ファイルシステム２１６に供給する。そして、ファイルシステム２１６は、生成部２１５から供給されたブックマークデータを記録部１３３に供給して記録させ、処理は終了する。また、この場合、ブックマークデータを基に表示されるブックマーク９２（図３）のブックマーク画像９３は、キャプチャ画像データにより表示されるキャプチャ画像とされ、受信URL９５は、抽出URL情報により示される抽出URLとされる。
【０１５６】
また、ステップＳ４９において、タイトル情報を取得していないと判定された場合、ステップＳ５３に進み、通信制御部２１４は、抽出URLにより特定されるサーバ１２から受信URL情報を取得したか否かを判定する。
【０１５７】
ステップＳ５３において、受信URL情報を取得したと判定された場合、すなわち、抽出URLにより特定されるサーバ１２から受信URL情報だけを取得した場合、通信制御部２１４は、取得した受信URL情報を、抽出部２１３を介して生成部２１５に供給して、ステップＳ５４に進む。
【０１５８】
ステップＳ５４において、生成部２１５は、ブックマーク画像データおよびタイトル情報を取得することができなかったので、例えば、抽出部２１３からキャプチャ画像データを取得し、デマルチプレクサ１２４からEPG情報（データ放送信号）を取得して、ブックマーク画像データおよびタイトル情報に代えてキャプチャ画像データおよびEPG情報を用いてブックマークデータを生成する。すなわち、生成部２１５は、通信制御部２１４から供給された受信URL情報、抽出部２１３から供給されたキャプチャ画像データ、およびデマルチプレクサ１２４から取得したEPG情報を基に、ブックマークデータを生成して、ファイルシステム２１６に供給する。そして、ファイルシステム２１６は、生成部２１５から供給されたブックマークデータを記録部１３３に供給して記録させ、処理は終了する。
【０１５９】
また、この場合、ブックマークデータを基に表示されるブックマーク９２（図３）のブックマーク画像９３は、キャプチャ画像データにより表示されるキャプチャ画像とされ、ブックマークタイトル９４は、EPG情報により示される、抽出URLに関係付けられた画像、すなわち、表示部２１に表示された番組のタイトル、放送日時、チャンネル名などとされる。
【０１６０】
また、ステップＳ５３において、受信URL情報を取得していないと判定された場合、すなわち、抽出URLにより特定されるサーバ１２からブックマーク画像データ、タイトル情報、および受信URL情報のいずれも取得できなかった場合、ステップＳ５５に進む。
【０１６１】
ステップＳ５５において、生成部２１５は、ブックマーク画像データ、タイトル情報、および受信URL情報を取得することができなかったので、デマルチプレクサ１２４からEPG情報を取得し、さらに抽出部２１３からキャプチャ画像データおよび抽出URL情報を取得して、ブックマーク画像データ、タイトル情報、および受信URL情報に代えて、キャプチャ画像データ、EPG情報、および抽出URL情報を用いてブックマークデータを生成する。すなわち、生成部２１５は、デマルチプレクサ１２４から取得したEPG情報、並びに抽出部２１３から取得したキャプチャ画像データおよび抽出URL情報を基に、ブックマークデータを生成して、ファイルシステム２１６に供給する。そして、ファイルシステム２１６は、生成部２１５から供給されたブックマークデータを記録部１３３に供給して記録させ、処理は終了する。
【０１６２】
また、この場合、ブックマークデータを基に表示されるブックマーク９２（図３）のブックマーク画像９３は、キャプチャ画像データにより表示されるキャプチャ画像とされ、ブックマークタイトル９４は、EPG情報により示される、抽出URLに関係付けられた画像、すなわち、表示部２１に表示された番組のタイトル、放送日時、チャンネル名などとされ、受信URL９５は、抽出URL情報により示される抽出URLとされる。
【０１６３】
なお、ユーザがリモートコマンダ１３を操作して、一覧表示画面９１の表示を指示すると、表示制御部２４１は、受光部２２から供給されたコマンド信号に応じて、記録部１３３に記録されているブックマークデータを読み込んでOSD付加回路１３０に供給し、OSD付加回路１３０に一覧表示画面９１を表示させるGUI映像信号を生成させる。OSD付加回路１３０は、表示制御部２４１の制御の基に、GUI映像信号を生成して表示部２１に供給し、表示部２１は、OSD付加回路１３０からのGUI映像信号を基に、一覧表示画面９１を表示させる。
【０１６４】
さらに、ユーザがリモートコマンダ１３を操作することによって、一覧表示画面９１上のブックマーク９２を選択すると、表示制御部２４１（通信部２５２）は表示装置１１に、通信網１４を介して、選択されたブックマーク９２の受信URL９５にアクセスさせて、受信URL９５により特定されるウェブページを表示させるためのデータを、受信URL９５により特定されるサーバ１２から取得させる。そして、表示制御部２４１は、取得したデータに所定の処理を施し、OSD付加回路１３０を介して表示部２１に供給して、表示部２１にウェブページを表示させる。
【０１６５】
このようにして、表示装置１１は抽出URLにアクセスして、抽出URLにより特定されるブックマーク画像データ、タイトル情報、または受信URL情報を取得し、取得したブックマーク画像データ、タイトル情報、または受信URL情報を基に、ブックマークデータを生成する。
【０１６６】
このように、ブックマーク画像データ、タイトル情報、または受信URL情報を取得してブックマークデータを生成することによって、ブックマークデータにより表示されるブックマーク９２に、表示部２１に表示された画像の内容（すなわち、ユーザが興味を持った情報の内容）を示すブックマーク画像９３、その画像の内容に関するより詳細な情報が掲載されているウェブページのURLである受信URL９５、または画像の内容を示すブックマークタイトル９４を表示させることができる。
【０１６７】
これにより、ユーザは、例えば、番組の視聴後に一覧表示画面９１を表示させてブックマーク９２を閲覧することによって、番組を視聴しているときに自分自身が何に対して興味を持ったかを容易に思い出すことができる。また、ユーザはリモートコマンダ１３を操作し、一覧表示画面９１においてブックマーク９２を選択するという簡単な操作で、ブックマーク９２の受信URL９５にアクセスさせ、受信URL９５により特定されるウェブページを表示させて閲覧し、ブックマークした情報についての最新の情報を得ることができる。
【０１６８】
さらに、抽出URLにアクセスしてブックマーク画像データ、タイトル情報、または受信URL情報を取得するようにしたので、ブックマーク画像データ、タイトル情報、または受信URL情報を提供するサーバ１２は、提供する情報が更新されるたびにブックマーク画像データ、タイトル情報、または受信URL情報を更新することができ、これにより、ユーザは常に最新の情報を得ることができる。
【０１６９】
次に、表示装置１１が受信する番組を送信する装置の一例である、送信局について説明する。図９は、送信局の機能の構成例を示すブロック図である。
【０１７０】
送信局３０１は、番組記録部３１１、URL記録部３１２、放送制御部３１３、挿入部３１４、変調部３１５、およびアンテナ３１６を含むように構成される。
【０１７１】
番組記録部３１１は、例えば、ハードディスク、または不揮発性の半導体メモリなどからなり、送信局３０１が放送する番組を再生するための映像データおよび音声データを記録している。番組記録部３１１は、記録している映像データおよび音声データを放送制御部３１３に供給する。
【０１７２】
URL記録部３１２は、例えば、ハードディスク、または不揮発性の半導体メモリなどからなり、送信局３０１が送信する放送信号に埋め込まれるURLを示す情報（抽出URL情報）などを記録している。URL記録部３１２は、記録している抽出URL情報を挿入部３１４に供給する。
【０１７３】
放送制御部３１３は、送信局３０１全体を制御する。放送制御部３１３は、放送する番組のスケジュールに応じて、すなわち、番組を放送する時刻になると、番組記録部３１１から放送する番組を再生するための映像データおよび音声データを取得して、挿入部３１４に供給する。また、放送制御部３１３は、URL記録部３１２に記録されている抽出URL情報などを参照して、挿入部３１４に抽出URL情報の挿入を指示する。
【０１７４】
挿入部３１４は、放送制御部３１３から抽出URL情報の挿入が指示されると、挿入が指示された抽出URL情報をURL記録部３１２から取得し、取得した抽出URL情報を放送制御部３１３から供給された映像データ（映像信号）に挿入する（埋め込む）。
【０１７５】
また、挿入部３１４は、放送制御部３１３から供給された映像データおよび音声データを基に、番組を再生するための放送信号を生成し、変調部３１５に供給する。例えば、挿入部３１４は、放送制御部３１３から供給された音声データ、および放送制御部３１３から供給され、必要に応じて抽出URL情報が埋め込まれた映像データを多重化することにより放送信号を生成する。
【０１７６】
変調部３１５は、挿入部３１４から供給された放送信号を変調してアンテナ３１６に供給する。アンテナ３１６は、変調部３１５から供給された放送信号を表示装置１１などに送信する。
【０１７７】
このような送信局３０１は、番組の放送時刻になると、表示装置１１などの番組を受信する装置に放送信号を送信することによって番組を放送する。以下、図１０のフローチャートを参照して、送信局３０１が番組を放送する処理である、放送の処理を説明する。
【０１７８】
番組を放送する時刻（番組の放送時刻）になると、ステップＳ８１において、放送制御部３１３は、放送する番組を再生するための映像データ（映像信号）および音声データ（音声信号）を番組記録部３１１から取得し、取得した映像データおよび音声データを挿入部３１４に供給する。また、このとき、放送制御部３１３は必要に応じて挿入部３１４にURLを示す情報（抽出URL情報）の挿入を指示する。
【０１７９】
例えば、放送制御部３１３は、番組の放送スケジュールに対応させて、URL記録部３１２に記録されている抽出URL情報を、放送信号（映像信号）に挿入させる時刻を予め記憶しており、放送制御部３１３は、URL記録部３１２に記録されている所定の抽出URL情報が放送信号に挿入されるべき時刻となると、挿入させる抽出URL情報を指定して、挿入部３１４に抽出URL情報の挿入を指示する。
【０１８０】
また、放送制御部３１３は、例えば、URL記録部３１２に記録されている抽出URL情報のそれぞれに対して割り当てられた、番組に含まれるシーンまたはコマーシャルを特定するＩＤ（Identification）を予め記憶しており、放送制御部３１３は、記憶しているＩＤにより特定されるシーンまたはコマーシャルの部分に対応する映像データ（映像信号）を番組記録部３１１から取得すると、挿入部３１４に、そのＩＤが割り当てられた抽出URL情報、すなわち、ＩＤにより特定されるシーンまたはコマーシャルに関係付けられた抽出URL情報を指定して抽出URL情報の挿入を指示する。
【０１８１】
ステップＳ８２において、挿入部３１４は、放送制御部３１３から抽出URLを示す情報の挿入が指示されると、放送制御部３１３に指定されたURLを示す情報（抽出URL情報）をURL記録部３１２から取得して、放送制御部３１３から供給された映像データ（映像信号）に、取得したURLを示す情報（抽出URL情報）を埋め込む（挿入する）。
【０１８２】
例えば、挿入部３１４は、放送制御部３１３から供給されたデジタル信号である映像信号を、NTSC方式などのアナログ信号に変換し、アナログ信号に変換された映像信号の垂直ブランキング期間に、URL記録部３１２から取得した抽出URL情報を埋め込む。そして、挿入部３１４は、抽出URL情報が埋め込まれた映像信号に、必要に応じて符号化などの処理を施し、アナログ信号からデジタル信号に変換する。
【０１８３】
また、例えば、挿入部３１４が、URL記録部３１２から取得した抽出URL情報を基に、抽出URLを示すＱＲコード、または抽出URLを示す文字列を表示させるための画像データを生成し、ＱＲコードまたは抽出URLが映像信号により表示される画像に表示されるように、生成したＱＲコード、または画像データを放送制御部３１３から供給された映像信号に重畳することにより、映像信号に抽出URL情報を埋め込むようにしてもよい。
【０１８４】
さらに、例えば、挿入部３１４が、置換法、拡散法、ベクトル量子化法などにより、放送制御部３１３から供給された映像信号（によって表示される画）に、電子透かしとしてURL記録部３１２から取得した抽出URL情報を埋め込むようにしてもよく、放送制御部３１３から供給された映像信号のメタデータとして、映像信号に抽出URL情報を埋め込むようにしてもよい。なお、より詳細には、放送制御部３１３が、挿入部３１４に対して抽出URL情報の挿入を指示しなかった場合、ステップＳ８２の処理はスキップされて、ステップＳ８１からステップＳ８３に進む。
【０１８５】
ステップＳ８２において、抽出URL情報が映像信号に埋め込まれると、ステップＳ８３に進み、挿入部３１４は、放送制御部３１３から供給された映像データ（映像信号）および音声データ（音声信号）を基に、番組を再生するための放送信号を生成し、変調部３１５に供給する。例えば、挿入部３１４は、放送制御部３１３から供給された音声信号、および放送制御部３１３から供給され、必要に応じて抽出URL情報が埋め込まれた映像信号を多重化することにより放送信号を生成し、変調部３１５に供給する。
【０１８６】
変調部３１５は、挿入部３１４から放送信号が供給されると、挿入部３１４から供給された放送信号を変調してアンテナ３１６に供給する。
【０１８７】
ステップＳ８４において、アンテナ３１６は、変調部３１５から供給された放送信号を表示装置１１などに送信して、放送の処理は終了する。なお、挿入部３１４が、放送制御部３１３から供給された映像信号に抽出URL情報を埋め込むと説明したが、番組記録部３１１に予め抽出URL情報が埋め込まれている映像データ（映像信号）を記録させるようにしてもよい。
【０１８８】
このようにして、送信局３０１は、番組を再生するための放送信号に、抽出URL情報を埋め込んで、表示装置１１などに送信する。
【０１８９】
このように、番組に含まれるシーンやコマーシャルに関係付けられた抽出URL情報を、放送信号に埋め込んで送信することにより、番組とともに、番組に含まれるシーンやコマーシャルに関するより詳細な情報を取得するための情報である抽出URL情報を、番組（放送信号）を受信する表示装置１１などに送信することができる。これにより、番組を受信する表示装置１１などの装置は、放送信号から抽出URL情報を抽出して、抽出した抽出URL情報により示される抽出URLでアクセスすることにより、番組のシーンやコマーシャルに関係付けられた情報、すなわち、表示装置１１などの装置に表示された画像に関係付けられた情報を容易に得ることができる。
【０１９０】
以上のように、本発明によれば、映像信号（放送信号）から抽出URL情報を抽出し、抽出した抽出URL情報により示される抽出URLによって特定されるブックマーク画像データ、タイトル情報、または受信URL情報を取得して、受信URL情報または抽出URL情報が含まれるブックマークデータを生成するようにしたので、ユーザは、番組を視聴しているときに、リモートコマンダを操作するという簡単な操作で、しかも番組の視聴を中断することなく、ブックマークデータを生成させることができる。これにより、ブックマークデータに含まれる受信URL情報により示される受信URL、または抽出URL情報により示される抽出URLにアクセスして、表示画面に表示された画像に関係付けられた情報を得ることができる。
【０１９１】
また、上述した一連の処理を行うために、CPU１３１に実行させるプログラムは、予め記録部１３３に記録されているか、または通信網１４を介して表示装置１１と接続されているサーバ１２などの外部装置、若しくはドライブ１３５に装着されたリムーバブルメディア１４２から表示装置１１にインストールすることができる。
【０１９２】
なお、上述した一連の処理を実行させるプログラムは、必要に応じてルータ、モデムなどのインターフェースを介して、ローカルエリアネットワーク、インターネット、デジタル衛星といった、有線または無線の通信媒体を介して表示装置１１にインストールされるようにしてもよい。さらに、CPU１３１がプログラムを実行することにより行う処理は、専用のハードウェアによって行うことも可能である。
【０１９３】
また、表示装置１１は、送信局または放送衛星から番組を受信すると説明したが、有線または無線通信により、ケーブルテレビ放送の番組などを受信するようにしてもよい。さらに、以上においては、表示装置１１は、例えば、テレビジョン受像機などから構成されると説明したが、表示装置１１は、その他、チューナを内蔵する携帯電話機やパーソナルコンピュータなどとすることも可能である。
【０１９４】
なお、本明細書において、プログラム格納媒体に格納されるプログラムを記述するステップは、記載された順序に沿って時系列的に行われる処理はもちろん、必ずしも時系列的に処理されなくとも、並列的あるいは個別に実行される処理をも含むものである。
【０１９５】
また、本明細書において、システムとは、複数の装置により構成される装置全体を表すものである。
【０１９６】
なお、本発明の実施の形態は、上述した実施の形態に限定されるものではなく、本発明の要旨を逸脱しない範囲において種々の変更が可能である。
【図面の簡単な説明】
【０１９７】
【図１】本発明を適用した画像表示システムの一実施の形態の構成例を示す図である。
【図２】番組に含まれる情報およびコマーシャルに関係付けられたURLを説明する図である。
【図３】ブックマークの一覧を表示する一覧表示画面を説明する図である。
【図４】表示装置の構成例を示すブロック図である。
【図５】ブックマークデータ生成部の機能の構成を示すブロック図である。
【図６】表示制御部の機能の構成を示すブロック図である。
【図７】ブックマークの作成処理を説明するフローチャートである。
【図８】生成の処理を説明するフローチャートである。
【図９】送信局の機能の構成例を示すブロック図である。
【図１０】放送の処理を説明するフローチャートである。
【符号の説明】
【０１９８】
１１  表示装置，  １２  サーバ，  １３  リモートコマンダ，  ２１  表示部，  ２２  受光部，  １２２  チューナ，  １２６  映像復号回路，  １３１  CPU，  １３２メモリ，  １３３  記録部，  １４１  記録再生装置，  １４２  リムーバブルメディア，  ２１１  再生制御部，  ２１２  キャプチャ部，  ２１３  抽出部，  ２１４  通信制御部，  ２１５  生成部，  ２１６  ファイルシステム，  ２５１  ブックマーク管理部，  ２５２  通信部，  ３０１  送信局，  ３１１  番組記録部，  ３１２  URL記録部，  ３１３  放送制御部，  ３１４  挿入部
【図１】
2007074495.tif 000003
【図２】
2007074495.tif 000004
【図３】
2007074495.tif 000005
【図４】
2007074495.tif 000006
【図５】
2007074495.tif 000007
【図６】
2007074495.tif 000008
【図７】
2007074495.tif 000009
【図８】
2007074495.tif 000010
【図９】
2007074495.tif 000011
【図１０】
2007074495.tif 000012